(57)【要約】      （修正有）【課題】電気的接続が途切れ難く、接触アームが変位する範囲が拡大されたコンタクトおよび電気コネクタを提供する。【解決手段】コネクタハウジングに取り付けられ、相手側コンタクトと接触するコンタクト１において、互いに対向して前方Ｆに延び、相手側コンタクトを左右方向両側ＬＲから挟む一対の接触アーム２１，２２、および一対の接触アームを支持する支持部２３を有するコンタクト部２と、コンタクト部を間に挟む左右に位置し、コネクタハウジングに圧入される一対の圧入部３，４と、支持部の左右両側からそれぞれ折れ曲がって一旦圧入部よりも前方Ｆに延びた後にさらに後方Ｂに延びて一対の圧入部それぞれに繋がった、弾性変形によりコンタクト部２を左右方向に変位自在に支持する一対のばね部５，６とを備えたことを特徴とする。【選択図】図１
2010267496.tif 000002
【特許請求の範囲】
【請求項１】
コネクタハウジングに取り付けられ、相手側コンタクトと接触するコンタクトであって、
互いに対向して前方に延び、前記相手側コンタクトを左右方向両側から挟む一対の接触アーム、および該一対の接触アームを支持する支持部を有するコンタクト部と、
前記コンタクト部を間に挟む左右に位置し、前記コネクタハウジングに圧入される一対の圧入部と、
前記支持部の左右両側からそれぞれ折れ曲がって一旦前記圧入部よりも前方に延びた後にさらに後方に延びて前記一対の圧入部それぞれに繋がった、弾性変形により前記コンタクト部を左右方向に変位自在に支持する一対のばね部とを備えたことを特徴とするコンタクト。
【請求項２】
前記圧入部が、上下に延びたものであり、
前記一対のばね部のそれぞれが、
前記支持部から前方に向かって延びた第１延長部と
前記第１延長部の先から前記コンタクト部から離れる左右外側に折れ曲がった第１Ｕ字部と、
前記第１Ｕ字部から上方に向かって延び、さらに後方に曲がって下方に向かって延びた第２のＵ字部と、
前記第２Ｕ字部の下方に向かって延びた下端と前記圧入部の下端とを繋ぐ繋ぎ部とを有するものであり、
前記接触アームが、前記支持部の、前記一対のばね部よりも上方における前記左右方向両側から折れ曲がって延びたものであることを特徴とする請求項１記載のコンタクト。
【請求項３】
相手側コンタクトと接触するコンタクトと、このコンタクトが取り付けられるハウジングを備えた電気コネクタであって、
前記コンタクトが、
互いに対向して前方に延び、前記相手側コンタクトを左右方向両側から挟む一対の接触アームと、前記一対の接触アームを支持する支持部とを有するコンタクト部と、
前記コンタクト部を間に挟む左右に位置し、前記コネクタハウジングに圧入される一対の圧入部と、
前記支持部の左右両側からそれぞれ折れ曲がって一旦前記圧入部よりも前方に延びた後にさらに後方に延びて前記一対の圧入部それぞれに繋がった、弾性変形により前記コンタクト部を左右方向に変位自在に支持する一対のばね部とを備えたものであることを特徴とする電気コネクタ。
【発明の詳細な説明】
【技術分野】
【０００１】
本発明は、相手側コンタクトに接触して電気的に結合するコンタクトおよび電気コネクタに関する。
【背景技術】
【０００２】
このようなコンタクトとして、従来より、相手側コンタクトが相対的に移動しても接触状態を保持できるように、相手側コンタクトを挟むばね部をコンタクト部に有するフローティングタイプのコンタクトが知られている（例えば、特許文献１参照。）。
【０００３】
図９は、従来技術のコンタクトを示す斜視図である。
【０００４】
図９に示す従来技術のコンタクト８００は、Ｕ字型のコンタクト部８０１と、回路基板に接続される一対の脚部８０２と、コンタクト部８０１に設けられた一対の自由端８０３のそれぞれから、途中２箇所ずつで１８０°に折れ曲がって脚部８０２まで延びる一対の板状のばね部８０４とを有している。脚部８０２は回路基板にはんだ接続され、Ｕ字型のコンタクト部８０１は相手側コンタクト（図示せず）を挟んで電気的に結合する。
【０００５】
コンタクト８００では、相手側コンタクトの両側に配置される２つの自由端８０３が、別々のばね部８０４にそれぞれ直接繋がっているため、相手側コンタクトに振動や衝撃が加わると、２つの自由端８０３と相手側コンタクトとの間に瞬間的に隙間が生じ、電気的接続が途切れてしまうおそれがある。
【０００６】
そこで、一対の接触アームを支持部によって支持し、この支持部を一対のばね部によって変位自在に支持する構造のコンタクトが提案されている（例えば、特許文献２参照。）。
【０００７】
図１０は、図９とは別の従来技術のコンタクトを示す斜視図である。図１０のパート（Ａ）は、コンタクト９００の正面側を斜め上方から見た斜視図であり、パート（Ｂ）は背面側を斜め上方から見た斜視図である。
【０００８】
図１０に示すコンタクト９００は、互いに対向して前方に延びた一対の接触アーム９０２，９０３と、接触アーム９０２，９０３を支持する板状の支持部９０４と、支持部の対向方向である左右方向両側から折れ曲がって延びた一対のばね部９０５，９０６と、ばね部９０５，９０６の先端に設けられた圧入片９０８，９０９とを備えている。コンタクト９００は、コネクタのカバー（図示せず）に圧入片９０８，９０９が圧入されることによって、カバーに固定される。相手側コンタクト（図示せず）を挟む接触アーム９０２，９０３は相手側コンタクトに追従して支持部９０４ごと変位する。
【先行技術文献】
【特許文献】
【０００９】
【特許文献１】特開２００６−１９２９６号公報
【特許文献１】特開２００８−９８０５２号公報
【発明の概要】
【発明が解決しようとする課題】
【００１０】
図１０に示すコンタクト９００における圧入片９０８，９０９は、接触アーム９０２，９０３が支持部９０４から延びた先の部分と同様に、前方に配置されている。しかも、圧入片９０８，９０９は、互いに対向する接触アーム９０２，９０３が相手側コンタクトを両側から挟む左右方向において、接触アーム９０２，９０３の先端部と並んでいる。すなわち、２つの圧入片９０８，９０９は、接触アーム９０２，９０３の先端部を間に挟んだ両側に配置されている。このため、接触アーム９０２，９０３の先端が左右方向に変位可能な範囲は、圧入片９０８，９０９の間の範囲（より厳密には、コンタクト９００が設置されるカバーの、圧入片９０８，９０９が圧入される部分の肉厚分だけさらに狭まった範囲）に制限される。このことは、逆に言えば、接触アーム９０２，９０３の先端が相手側コンタクトに追従して変位する範囲を、圧入片９０８，９０９との干渉を避けつつ確保しようとすると、２つの圧入片９０８，９０９を、間隔を広げて配置する必要がある。したがって、コンタクトを複数並べて配置する場合に、コンタクト同士のピッチを狭めて配置することができない。
【００１１】
本発明は上記問題点を解決し、電気的接続が途切れ難く、接触アームが変位する範囲が拡大されたコンタクト、および電気コネクタを提供することを目的とするものである。
【課題を解決するための手段】
【００１２】
上記目的を達成する本発明のコンタクトは、
コネクタハウジングに取り付けられ、相手側コンタクトと接触するコンタクトであって、
互いに対向して前方に延び、上記相手側コンタクトを左右方向両側から挟む一対の接触アーム、およびこの一対の接触アームを支持する支持部を有するコンタクト部と、
上記コンタクト部を間に挟む左右に位置し、上記コネクタハウジングに圧入される一対の圧入部と、
上記支持部の左右両側からそれぞれ折れ曲がって一旦上記圧入部よりも前方に延びた後にさらに後方に延びて上記一対の圧入部それぞれに繋がった、弾性変形により上記コンタクト部を左右方向に変位自在に支持する一対のばね部とを備えたことを特徴とする。
【００１３】
本発明のコンタクトは、接触アームを支持する支持部がばね部によってさらに支持されており、ばね部が、前方に延びた接触アームを支持する支持部から前方に延びた後にさらに後方に延びて圧入部に繋がった構造であり、接触アームの先端と圧入部との干渉が避けられるため、接触アームの変位が圧入部による制限から解放される。したがって電気的接続が途切れ難く、しかも接触アームが変位する範囲が拡大する。
【００１４】
ここで、上記本発明のコンタクトにおいて、
上記圧入部が、上下に延びたものであり、
上記一対のばね部のそれぞれが、
上記支持部から前方に向かって延びた第１延長部と
上記第１延長部の先から上記コンタクト部から離れる左右外側に折れ曲がった第１Ｕ字部と、
上記第１Ｕ字部から上方に向かって延び、さらに後方に曲がって下方に向かって延びた第２のＵ字部と、
上記第２Ｕ字部の下方に向かって延びた下端と上記圧入部の下端とを繋ぐ繋ぎ部とを有するものであり、
上記接触アームが、上記支持部の、上記一対のばね部よりも上方における上記左右方向両側から折れ曲がって延びたものであることが好ましい。
【００１５】
ばね部のそれぞれが１Ｕ字部と第２のＵ字部を有することによって、圧入部を接触アームの先端よりも後方に配置しつつばね部の長さを確保し、ばね部の弾性変形範囲を十分に確保することができる。
【００１６】
上記目的を達成する本発明の電気コネクタは、相手側コンタクトと接触するコンタクトと、このコンタクトが取り付けられるハウジングを備えた電気コネクタであって、
上記コンタクトが、
互いに対向して前方に延び、上記相手側コンタクトを左右方向両側から挟む一対の接触アームと、上記一対の接触アームを支持する支持部とを有するコンタクト部と、
上記コンタクト部を間に挟む左右に位置し、上記コネクタハウジングに圧入される一対の圧入部と、
上記支持部の左右両側からそれぞれ折れ曲がって一旦上記圧入部よりも前方に延びた後にさらに後方に延びて上記一対の圧入部それぞれに繋がった、弾性変形により上記コンタクト部を左右方向に変位自在に支持する一対のばね部とを備えたものであることを特徴とする。
【００１７】
本発明の電気コネクタは、コンタクトにおける接触アームの変位が圧入部による制限から解放される。したがって電気的接続が途切れ難く、しかも接触アームが変位する範囲が拡大し、又はコンタクトをより狭ピッチで配置できる。
【発明の効果】
【００１８】
以上説明したように、本発明によれば、電気的接続が途切れ難く、接触アームが変位する範囲が拡大されたコンタクトおよび電気コネクタが実現する。
【図面の簡単な説明】
【００１９】
【図１】本発明の第１実施形態であるコンタクトの斜視図である。
【図２】本発明の第１実施形態であるコンタクトの投影図である。
【図３】図１に示すコンタクトを製造する工程を示す図である。
【図４】本発明の第２実施形態である電気コネクタの外観を示す斜視図である。
【図５】相手側コネクタの外観を示す斜視図である。
【図６】カバーにコンタクトが取り付けられる様子を示す分解斜視図である。
【図７】コンタクトが取り付けられた状態におけるコネクタの底面図である。
【図８】本発明の第３実施形態のコンタクトの外観を示す側面図である。
【図９】従来技術のコンタクトを示す斜視図である。
【図１０】図９とは別の従来技術のコンタクトを示す斜視図である。
【発明を実施するための形態】
【００２０】
以下図面を参照して本発明のコンタクトおよび電気コネクタの実施の形態を説明する。
【００２１】
図１および図２は、本発明の第１実施形態であるコンタクトの外観図である。図１のパート（Ａ）は、コンタクト１を相手側コンタクトを受容する正面側を斜め上方から見た斜視図であり、図１のパート（Ｂ）は背面側を斜め上方から見た斜視図である。また、図２のパート（Ａ）はコンタクト１の平面図であり、パート（Ｂ）は正面図であり、パート（Ｃ）は底面図であり、パート（Ｄ）は背面図であり、パート（Ｅ）は右側面図である。
【００２２】
コンタクト１は、例えばプリント回路基板の導体パターンに半田接続されるとともに、後述する相手側コンタクトに接触して電気的に結合する部品であり、コンタクト部２と、一対の圧入部３，４と、一対のばね部５，６と、一対の基板接続部７，８とを有する。コンタクト１は、金属板を打抜き加工および曲げ加工することによって製造されたものであり、コンタクト部２、圧入部３，４、ばね部５，６、および基板接続部７，８は一体に形成されている。
【００２３】
コンタクト部２は、互いに対向して延びた一対の接触アーム２１，２２と、接触アームに連結されて接触アームを支持する板状の支持部２３を有する。接触アーム２１，２２は、支持部２３の接触アーム２１，２２が対向する左右方向ＬＲにおける両側から９０°に折れ曲がって延びている。ここで、コンタクト１において、接触アーム２１，２２が支持部２３から延びる向きを前方Ｆとし、その反対の向きを後方Ｂとする。また、接触アーム２１，２２が互いに対向する向きを右Ｒおよび左Ｌとし、接触アーム２１，２２が対向する左右方向ＬＲを対向方向ＬＲとも称する。また、圧入部３，４が延びる向きを上方Ｕとし、その反対の向きを下方Ｄとする。
【００２４】
一対の接触アーム２１，２２は、支持部２３の左右方向ＬＲにおける両側から折れ曲がって前方に延びており、接触アーム２１，２２の先端には球面状の接触片２１ａ，２２ａが設けられている。接触アーム２１，２２は、接触片２１ａ，２２ａの隙間が相手側コンタクト３３１（図５参照）の厚さよりも狭く配置されている。板状の相手側コンタクトが接触アーム２１，２２の間に挿入されると、接触アーム２１，２２が弾性変形して、接触片２１ａ，２２ａの間が広がり相手側コンタクトを受け入れるとともに、接触片２１ａ，２２ａで相手側コンタクトを左右方向ＬＲにおける両側から挟む。接触片２１ａ，２２ａの双方が相手に向かって球面状に膨らんだ曲面を有することで、接触片２１ａ，２２ａの間に挟まれた相手側コンタクトの削れが抑えられる。また、接触アーム２１，２２は、支持部２３の左右方向ＬＲにおける両側から折れ曲がって前方Ｆに延びた形状であるため、相手側コンタクトを支持部２３の位置まで後方Ｂすなわち奥側に受け入れることができる。
【００２５】
ばね部５，６は、支持部２３と圧入部３，４とを繋いでいる。具体的には、ばね部５，６は、支持部２３の左右方向ＬＲ両側からそれぞれ折れ曲がって一旦圧入部３，４よりも前方Ｆに延びた後にさらに後方Ｂに延びて一対の圧入部３，４それぞれに繋がっている。より詳細には、ばね部５，６のそれぞれは、支持部２３から前方Ｆに向かって延びた第１延長部５ａ，６ａと、第１延長部５ａ，６ａの先から、コンタクト部２から離れる左右方向ＬＲ外側に折れ曲がった第１Ｕ字部５ｂ，６ｂと、第１Ｕ字部５ｂ，６ｂから上方Ｕに向かって延び、さらに後方Ｂに曲がって下方Ｄに向かって延びた第２のＵ字部５ｃ，６ｃと、第２Ｕ字部５ｃ，６ｃの下方Ｄに向かって延びた下端と圧入部３，４の下端とを繋ぐ繋ぎ部５ｄ，６ｄとを有する。接触アーム２１，２２は、支持部２３の、ばね部５，６よりも上方Ｕにおける左右方向ＬＲ両側から折れ曲がって前方Ｆに向かって延びている。
【００２６】
圧入部３，４は、繋ぎ部５ｄ，６ｄの端から上方Ｕに向かって延びている。圧入部３，４には、圧入後の抜け止めのためのバーブ３ａ，４ａが形成されている。コンタクト１は、圧入部３，４が、後述する電気コネクタのカバーに圧入されることによって、そのカバーに固定される。コンタクト部２は、圧入部３，４がカバーに圧入された状態では、この圧入部３，４に繋がり弾性変形するばね部５，６によって左右方向ＬＲに変位自在に支持される。図２のパート（Ａ）によりよく示されるように、繋ぎ部５ｄ，６ｄは、左右方向ＬＲの外側に僅かに曲げられており、圧入部３，４は左右方向ＬＲにおける外側に離れた位置に配置されている。これによって、後に説明するカバーの固定溝部２２３（図６参照）の肉厚分が調整される。
【００２７】
基板接続部７，８は、回路基板等に半田接続される部分であり、圧入部３，４の下端から後方Ｂに延びており、先端が９０°に折れ曲がっている。
【００２８】
コンタクト１は、ばね部５，６が弾性変形することによって、コンタクト部２を接触アーム２１，２２ごと左右方向ＬＲに変位可能に支持する。したがって、コンタクト１が接触アーム２１，２２で相手側コンタクトを挟んだ状態において、相手側コンタクトが外力によって左右方向ＬＲに移動した場合には、ばね部５，６が弾性変形し、接触アーム２１，２２の双方が支持部２３ごと、相手側コンタクトの移動に追従して変位する。
【００２９】
例えば、図９に示す従来技術のコンタクト８００では、相手側コンタクトの両側に配置される２つの自由端８０３が、別々のばね部８０４にそれぞれ直接繋がっている。このため、相手側コンタクトに振動や衝撃が加わると、２つのばね部８０４のうちの一方の動きに他方が追従できず、２つの自由端８０３と相手側コンタクトとの間に瞬間的に隙間が生じ電気的接続が途切れてしまうおそれがある。
【００３０】
これに対し、上述した実施形態のコンタクト１では、一対の接触アーム２１，２２が支持部２３に集中して繋がり、一対のばね部５，６もこの支持部２３に繋がった構造である。このため、一対の接触アーム２１，２２は、ばね部５，６に支持された支持部２３ごと一体となって移動する。したがって、衝撃が加わった場合にも、接触アーム２１，２２が相手側コンタクトを挟んだ状態が維持され、電気的接続が途切れ難い。またさらに、コンタクト１は、ばね部５，６が圧入部３，４よりも前方Ｆに延びた後にさらに後方Ｂに延びて圧入部３，４それぞれに繋がった構造を有しており、圧入部３，４が接触アーム２１，２２の先端の接触片２１ａ，２２ａよりも後方Ｂに位置している。このため、接触アーム２１，２２の先端の接触片２１ａ，２２ａと圧入部３，４との干渉が避けられる。したがって、図１０に示すような、圧入部が接触片と並んで前方に配置された従来の構造に比べ、接触アーム２１，２２の左右方向ＬＲに変位可能な範囲が大きい。また、本実施形態のコンタクト１は、接触片２１ａ，２２ａが球面状の膨らみを有しているため、相手側コンタクトを間に挟んだ状態での、接触アーム２１，２２の先端の左右方向ＬＲにおける端から端までの幅は、相手側コンタクトの厚みに、球面状の接触片２１ａ，２２ａの膨らみ高さが加わったものとなる。この接触アーム２１，２２の先端が相手側コンタクトに追従して変位するには、上記の相手コネクタの厚みおよび接触片２１ａ，２２ａの膨らみの高さに、接触アーム２１，２２の先端の変位幅を加えた幅の空間が確保されている必要がある。本実施形態のコンタクト１は、圧入部３，４と接触アーム２１，２２の先端の接触片２１ａ，２２ａとの干渉がさけられており、接触片２１ａ，２２ａが曲面を有していても、変位のための空間が十分に確保される。
【００３１】
続いて、コンタクト１を製造する工程を説明する。
【００３２】
図３は、図１に示すコンタクトを製造する工程を示す図である。図３には、コンタクトを製造する工程がパート（Ａ）からパート（Ｃ）まで順に示されている。
【００３３】
コンタクト１は、導電性の金属板を打抜き加工および折曲げ加工することにより製造される。金属板としては、例えば、銅合金といった高弾性を有する薄板が用いられる。金属板からの打抜き加工および接触片２１ａ，２２ａの曲げ加工によって、図３のパート（Ａ）に示すコンタクト材料１００が得られる。なお、コンタクト材料１００は、金属板から、リードフレームに繋がった状態で複数個並んで打ち抜かれ、リードフレームに繋がった状態で図３のパート（Ａ）からパート（Ｃ）までに示す折り曲げが施され、最後に切り離されるが、図ではリードフレームは省略し、１個のコンタクトに対応する部分のみ図示する。なお、パート（Ａ）に示すコンタクト材料の接続片２３ａ，２３ｂは、リードフレームに繋がり、最終段階で切り離される部分である。
【００３４】
まず、コンタクト材料１００を線ａおよび線ｂに沿って９０°に折り曲げて接触アーム２１，２２およびばね部５，６を形成する（パート（Ａ））。また、必要に応じ、圧入部３，４の付け根部分も折り曲げる。
【００３５】
次に、コンタクト材料１００を範囲ｃおよび範囲ｄで１８０°に折曲げて、第１Ｕ字部５ｂ，６ｂを形成する（パート（Ｂ））。さらに必要に応じて、基板接続部７，８を折り曲げる。なお、第２Ｕ字部５ｃ，６ｃ（図１参照）の曲がった形状は、金属板から打抜かれた形状として形成されている。このようにして、コンタクト１が完成する。
【００３６】
図１に示すコンタクト１において、接触アーム２１，２２が相手側コンタクトを左右方向ＬＲ両側から挟む構造および、ばね部５，６の前方に向かって延びた第１延長部５ａ，６ａの構造は、図３に示すコンタクト材料を線ａおよび線ｂに沿って１回ずつ９０°に折り曲げることで得られる。また、左右外側に折れ曲がった第１Ｕ字部５ｂ，６ｂの形状は、コンタクト材料を範囲ｃおよび範囲ｄで１回ずつ１８０°に折り曲げることで得られる。このように、コンタクト１は、製造中における１８０°の折り曲げが左右１回ずつで済むので、図９に示す従来技術のコンタクト８００に比べ製造が容易である。
【００３７】
続いて、本発明の第２実施形態を説明する。
【００３８】
図４は、本発明の第２実施形態である電気コネクタの外観を示す斜視図である。図４のパート（Ａ）は、電気コネクタ２００（以下、電気コネクタを単にコネクタという。）を相手側コネクタが接続される側から見た斜視図であり、パート（Ｂ）は、コネクタ２００をパート（Ａ）とは反対側から見た斜視図である。また、図５は、相手側コネクタの外観を示す斜視図である。
【００３９】
コネクタ２００は、図５の相手側コネクタ３００が接続される部品であり、第１実施形態で説明したコンタクト１が３個と、コンタクト１を取り囲んで保護するドーム状のカバー２２０とを有している。コネクタ２００は、例えば、携帯電話機の内部に取り付ける薄型電池ユニットに使用されるものであり、薄型電池ユニット内の回路基板にはんだ接続され、携帯電話機に設けられた相手側コネクタ（図５参照）に結合するコネクタとして使用される。カバー２２０は電池ユニットの筐体の一部となる。カバー２２０が本発明にいうコネクタハウジングの一例に相当する。図４のパート（Ｂ）には、回路基板が取り除かれた状態の電気コネクタの底面が示されている。
【００４０】
一方、図５に示す相手側コネクタ３００は、互いに略平行に配置された金属材料からなる３つの板状の相手側コンタクト３３１と、この相手側コンタクト３３１を固定する絶縁性材料からなる固定部材３０２とを有している。
【００４１】
図４に戻ると、カバー２２０には、３つのコンタクト収容室２２１が設けられており、それぞれのコンタクト収容室２２１毎に窓２２２が形成されている。このカバー２２０の窓２２２を通して、相手側コネクタ３００のコンタクト３３１がコンタクト１と電気的に結合する。
【００４２】
図６は、カバーにコンタクトが取り付けられる様子を示す分解斜視図である。また、図７は、コンタクトが取り付けられた状態におけるコネクタの底面図である。
【００４３】
図６および図７によりよく示すように、コンタクト収容室２２１を区画する壁には、固定溝部２２３が形成されている。コンタクト１がコンタクト収容室２２１に収容される際に、圧入部３，４が固定溝部２２３に圧入される。
【００４４】
コンタクト１は、すでに説明したように、圧入部３，４が接触アーム２１，２２の先端の接触片２１ａ，２２ａよりも後方Ｂに位置している。このため、圧入部が接触片と並んで前方に配置された従来の構造に比べ、接触アームが左右方向ＬＲに変位可能な範囲が大きい。また、変位可能な範囲を従来の構造と同程度に維持する場合には、一対の圧入部の間隔を狭めることによって、３個のコンタクト１をコネクタ２００に、間隔を狭めて配置することが可能である。この場合には、コンタクトの狭ピッチ化によってコネクタやコネクタが取り付けられる部品の小型化が図られる。
【００４５】
第１実施形態で説明したコンタクト１は、ばね部５，６の繋ぎ部５ｄ、６ｄが圧入部３，４の下端に繋がっており、圧入部３，４が上方Ｕに向かって延びた構造を有しているが、ここで、ばね部の形状や圧入部の向きが第１実施形態とは異なる第３実施形態のコンタクトについて説明する。
【００４６】
以下の第３実施形態の説明にあたっては、これまで説明してきた第１実施形態における各要素と同一の要素について同一の符号を付けて示し、第１実施形態との相違点について説明する。
【００４７】
図８は、本発明の第３実施形態のコンタクトの外観を示す側面図である。
【００４８】
図８に示すコンタクト４００は、ばね部、圧入部、および基板接続部の形状が、第１実施形態のコンタクト１と異なる。図８に示すコンタクト４００の圧入部４０３は、下方Ｄに向かって延びており、ばね部４０５は、圧入部４０３の上端に繋がる形状となっている。より詳細には、コンタクト４００のばね部４０５は、第１延長部４０５ａに続く第１Ｕ字部４０５ｂから上方Ｕに向かって延び、さらに後方Ｂに曲がって延びるが下方Ｄに向かわず、そのまま後方Ｂに延びて圧入部４０３に繋がった形状を有する。なお、図８には、コンタクト４００の右側面が示されているが、コンタクト４００の形状は左右対称であり、図８に示す側と反対側のばね部、圧入部、および基板接続部も、図８に示す形状と同様である。
【００４９】
図８に示すコンタクト４００も、第１実施形態のコンタクト１と同様に圧入部４０３が接触アームの先端よりも後方Ｂに位置しているため、接触アームの左右方向に変位可能な範囲が大きい。
【００５０】
なお、上述した第１実施形態のコンタクト１においては、線ａ，ｂおよび範囲ｃ，ｄ以外に、圧入部３，４の付け根部分や基板接続部７，８も折曲げ加工されているが、本発明のコンタクトはこれに限られるものではなく、回路基板やカバーのレイアウトのための付加的な折曲げ加工を省略したものであってもよい。また、第２実施形態において、コンタクト１の数は３個であったが、４個又は５個等の３以外の数であってもよい。
【符号の説明】
【００５１】
１，４００    コンタクト
２    コンタクト部
３，４    圧入部
５，６    ばね部
５ａ，６ａ    第１延長部
５ｂ，６ｂ    第１Ｕ字部
５ｃ，６ｃ    第２Ｕ字部
５ｄ，６ｄ    繋ぎ部
７，８    基板接続部
２１，２２    接触アーム
２３    支持部
２００    電気コネクタ
２２０    カバー
２２１    コンタクト収容室
【図１】
2010267496.tif 000003
【図２】
2010267496.tif 000004
【図３】
2010267496.tif 000005
【図４】
2010267496.tif 000006
【図５】
2010267496.tif 000007
【図６】
2010267496.tif 000008
【図７】
2010267496.tif 000009
【図８】
2010267496.tif 000010
【図９】
2010267496.tif 000011
【図１０】
2010267496.tif 000012
【手続補正書】
【提出日】平成22年6月17日(2010.6.17)
【手続補正１】
【補正対象書類名】明細書
【補正対象項目名】０００９
【補正方法】変更
【補正の内容】
【０００９】
【特許文献１】特開２００６−１９２９６号公報
【特許文献２】特開２００８−９８０５２号公報
【手続補正２】
【補正対象書類名】明細書
【補正対象項目名】００１４
【補正方法】変更
【補正の内容】
【００１４】
ここで、上記本発明のコンタクトにおいて、
上記圧入部が、上下に延びたものであり、
上記一対のばね部のそれぞれが、
上記支持部から前方に向かって延びた第１延長部と
上記第１延長部の先から上記コンタクト部から離れる左右外側に折れ曲がった第１Ｕ字部と、
上記第１Ｕ字部から上方に向かって延び、さらに後方に曲がって下方に向かって延びた第２Ｕ字部と、
上記第２Ｕ字部の下方に向かって延びた下端と上記圧入部の下端とを繋ぐ繋ぎ部とを有するものであり、
上記接触アームが、上記支持部の、上記一対のばね部よりも上方における上記左右方向両側から折れ曲がって延びたものであることが好ましい。
【手続補正３】
【補正対象書類名】明細書
【補正対象項目名】００１５
【補正方法】変更
【補正の内容】
【００１５】
ばね部のそれぞれが第１Ｕ字部と第２Ｕ字部を有することによって、圧入部を接触アームの先端よりも後方に配置しつつばね部の長さを確保し、ばね部の弾性変形範囲を十分に確保することができる。
【手続補正４】
【補正対象書類名】明細書
【補正対象項目名】００２５
【補正方法】変更
【補正の内容】
【００２５】
ばね部５，６は、支持部２３と圧入部３，４とを繋いでいる。具体的には、ばね部５，６は、支持部２３の左右方向ＬＲ両側からそれぞれ折れ曲がって一旦圧入部３，４よりも前方Ｆに延びた後にさらに後方Ｂに延びて一対の圧入部３，４それぞれに繋がっている。より詳細には、ばね部５，６のそれぞれは、支持部２３から前方Ｆに向かって延びた第１延長部５ａ，６ａと、第１延長部５ａ，６ａの先から、コンタクト部２から離れる左右方向ＬＲ外側に折れ曲がった第１Ｕ字部５ｂ，６ｂと、第１Ｕ字部５ｂ，６ｂから上方Ｕに向かって延び、さらに後方Ｂに曲がって下方Ｄに向かって延びた第２Ｕ字部５ｃ，６ｃと、第２Ｕ字部５ｃ，６ｃの下方Ｄに向かって延びた下端と圧入部３，４の下端とを繋ぐ繋ぎ部５ｄ，６ｄとを有する。接触アーム２１，２２は、支持部２３の、ばね部５，６よりも上方Ｕにおける左右方向ＬＲ両側から折れ曲がって前方Ｆに向かって延びている。
【手続補正５】
【補正対象書類名】特許請求の範囲
【補正対象項目名】請求項２
【補正方法】変更
【補正の内容】
【請求項２】
前記圧入部が、上下に延びたものであり、
前記一対のばね部のそれぞれが、
前記支持部から前方に向かって延びた第１延長部と
前記第１延長部の先から前記コンタクト部から離れる左右外側に折れ曲がった第１Ｕ字部と、
前記第１Ｕ字部から上方に向かって延び、さらに後方に曲がって下方に向かって延びた第２Ｕ字部と、
前記第２Ｕ字部の下方に向かって延びた下端と前記圧入部の下端とを繋ぐ繋ぎ部とを有するものであり、
前記接触アームが、前記支持部の、前記一対のばね部よりも上方における前記左右方向両側から折れ曲がって延びたものであることを特徴とする請求項１記載のコンタクト。